(57)【要約】 【課題】簡便性の高い伸長作業補助方法と、締付作業補助方法を提供する。【解決手段】本発明の伸長作業補助方法は、棒を二筋の角管に挿入し、圧伸角管側に蓋まで挿入した棒を、押圧ボルト体によって固定し、目標地点にあて、スライド角管側の棒を相手側目標地点にあて、圧伸ボルト体によって固定する。後、圧伸角管側押圧ボルト体を緩め、圧伸ボルト体によって伸長する。締付作業補助方法はスライド角管の棒を適宜な位置に固定し、その棒に締付腕を挿入し圧伸管側の棒との間に締め付ける目標物を挟み、圧伸管側の圧伸ボルト体によって締め付ける。【選択図】    図１
2012144883.tif 000002
【特許請求の範囲】
【請求項１】
一つの直方体の角管を圧伸角管２１とスライド角管２２に分割形成し、圧伸角管２１の片端に蓋３を有し、圧伸角管２１の中空に棒６１を挿入出き、その棒６１を縦方向片端の蓋３にてとどめることが出来き、スライド角管２２の中空に棒６２を挿入してスライドできるようにした本体１と、挿入する棒６１，６２を、適宜な位置に固定できる押圧ボルト体（５１，５２，５３）と、締め付け作業、伸長作業時に棒６１を押圧圧伸するための蓋３に備えた圧伸ボルト体４からなり、圧伸角管２１に、棒６１を蓋３に付くまで挿入し、横方向からの圧伸角管押圧ボルト体５１によって押圧固定した棒６１を目標地点ロに置き、スライド角管２２に、棒６２を挿入し、スライド角管２２の棒６２をスライドさせ、相手側目標地点イに当て、スライド角管２２の押圧ボルト体５２，５３で棒６２を固定し、圧伸角管側押圧ボルト体５１を緩め、圧伸角管２１の蓋３の圧伸ボルト体４によって棒６１を圧伸させ、伸長作業を行うことが出来ることを特徴とする多機能伸縮棒補助装置。
【請求項２】
スライド角管２２に棒６２を挿入し、押圧ボルト体５２，５３によって押圧固定し、圧伸角管２１に棒６１を蓋３に着くまで挿入し、他端を目標物ハに当て、挿入した棒６２に締付腕７を取り付け、目標物ハを締め付けるため適宜な位置にスライドさせ、締付腕側押圧ボルト体８によって押圧固定し、圧伸角管２１の蓋３の圧伸ボルト体４によって棒６１を圧伸させ、締付腕７との間の目標物ハを締め付けられるように締付腕７を備えたことを特徴とする請求項１記載の多機能伸縮棒補助装置。  
【発明の詳細な説明】
【技術分野】
【０００１】
本発明は、締め付け及び伸長の両方の特性を兼ねる多機能伸縮棒補助装置に関する。
【背景技術】
【０００２】
従来、建築現場等では、いわゆる突っ張り棒として天井面と床面の間に棒をある程度の力がかかっても倒れないように立て、作業の支えとして利用するとき（例えば、特許文献1参照）や、押し広げて(伸長させ)寸法を調整するときの道具が必要とされる。又、建築現場等では、材木と材木等を接着剤やビスなどで固定する際の仮に締め付ける作業等や、内法寸法の未調整である建築部材を締め付けて寸法を調整する作業に必要な道具が求められる。
【０００３】
一方、伸長を必要な作業と締め付ける作業とともに、従来製品では主杆の長さが予め決まった長さに限定されるため、寸法に対応した製品が必要である。建築現場での多様な寸法に対応できる多機能伸縮棒補助装置が求められる。
【先行技術文献】
【特許文献】
【０００４】
【特許文献１】特開平０７−２２７３２６号  公報
【発明の概要】
【発明が解決しようとする課題】
【０００５】
従来、伸長を必要な作業、締め付ける作業には、別々の道具の購入や、様々な主杆の長さのものを購入維持しなければならず、経済的にも、又維持、管理の労力にも負担が多かった。
【課題を解決するための手段】
【０００６】
本発明は、一つの直方体の角管を圧伸角管２１とスライド角管２２に分割形成し、圧伸角管２１の片端に蓋３を有し、圧伸角管２１の中空に棒６１を挿入出き、その棒６１を縦方向片端の蓋３にてとどめることが出き、スライド角管２２の中空に棒６２を挿入してスライドできるようにした本体１と、挿入する棒６１、６２を、適宜な位置に固定できる押圧ボルト体（５１，５２，５３）と、締め付け作業、伸長作業時に棒６１を押圧圧伸するための蓋３に備えた圧伸ボルト体４からなり、圧伸角管２１に、棒６１を蓋３に付くまで挿入し、横方向からの圧伸角管押圧ボルト体５１によって押圧固定した棒６１を目標地点ロに置き、スライド角管２２に、棒６２を挿入しスライド角管２２の棒６２をスライドさせ、相手側目標地点イに当て、スライド角管２２の押圧ボルト体５２，５３で棒６２を固定し、圧伸角管側押圧ボルト体５１を緩め、圧伸角管２１の蓋３の圧伸ボルト体４によって棒６１を圧伸させ、伸長作業を行うことが出来ることを特徴とする多機能伸縮棒補助装置。
【０００７】
本発明は、スライド角管２２に棒６２を挿入し、押圧ボルト体５２，５３によって押圧固定し、圧伸角管２１に棒６１を蓋３に着くまで挿入し、他端を目標物ハに当て、挿入した棒６２に締付腕７を取り付け、目標物ハを締め付けるため適宜な位置にスライドさせ、締付腕側押圧ボルト体８によって押圧固定し、圧伸角管２１の蓋３の圧伸ボルト体４によって棒６１を圧伸させ、締付腕７との間の目標物ハを締め付けられるように締付腕７を備えたことを特徴とする多機能伸縮棒補助装置。
【発明の効果】
【０００８】
突っ張り棒として天井面と床面の間に棒をある程度の力がかかっても倒れないように立て、作業の支えとして利用できる。内法寸法の未調整である建築部材等を押し広げて利用することもできる。二筋の角管に棒を挿入、スライドさせ使用できるので、挿入する棒の長さによって様々な長さの作業に対応できる。
【０００９】
材木と材木等を接着剤やビスなどで固定する際の仮締めの作業等や、内法寸法が未調整である建築部材等を締め付けて寸法を調整する作業に利用できる。挿入する棒の長さによって様々な締め付け作業に対応できる。
【図面の簡単な説明】
【００１０】
【図１】本発明の多機能伸縮棒補助装置の構成（締付腕がない基本形）（a）側面図    （b）Ａ方向からの矢視図
【図２】本発明の多機能伸縮棒補助装置の構成（締付腕がある場合）（a）側面図    （b）Ｂ方向からの矢視図
【発明を実施するための形態】
【００１１】
以下、本発明の実施の形態を、図１と図２により説明する。
【００１２】
図１は本発明の締付腕がない伸長作業時の多機能伸縮棒補助装置の基本構成である。図１の（a）は側面図、（b）はＡ方向からの矢視図である。
本発明の多機能伸縮棒補助装置は、本体１と、挿入する棒６１，６２を、適宜な位置に固定できる押圧ボルト体（５１，５２，５３）と、締め付け作業、伸長作業時に棒６１を押圧圧伸するための圧伸ボルト体４からなる。
本体１は中空を有した一つの直方体の角管を壁１２によって二つの角管（圧伸角管２１とスライド角管２２）に分割形成する。圧伸角管２１には蓋３を有し中空に棒６１を挿入出き、その棒６１を縦方向片端の蓋３にてとどめることが出来る。スライド角管２２の中空に棒６２を挿入してスライドできる。
本体１は、好ましくは軽く、運搬、作業しやすく耐久性に優れる金属（アルミ等）や強化プラスチックなどで形成されるのが好ましい。
【００１３】
圧伸角管２１に、棒６１を蓋３に付くまで挿入し、横方向からの圧伸角管押圧ボルト体５１によって押圧固定した棒６１を目標地点ロに置き、スライド角管２２に、棒６２を挿入する。スライド角管２２の棒６２をスライドさせ、相手側目標地点イに当てる。スライド角管２２の押圧ボルト体５２，５３で棒６２を固定する。圧伸管側押圧ボルト体５１を緩め、圧伸角管２１蓋３の圧伸ボルト体４によって棒６１を圧伸させ、伸長作業を行うことが出来る。
【００１４】
図２は、本発明の締付腕で目標物ハを締め付けるときの多機能伸縮棒補助装置の構成を示す。
図２の（a）は側面図、（b）はＢ方向からの矢視図を示す。
図１の本体１に、押圧ボルト体８を備えた締付腕７を追加したものである。
【００１５】
スライド角管２２に棒６２を挿入し、押圧ボルト体５２，５３によって押圧固定する。圧伸角管２１に棒６１を蓋３に着くまで挿入し、他端を目標物ハに当てる。挿入した棒６２に締付腕７を取り付け、目標物ハを締め付けるため適宜な位置にスライドさせ、締付腕側押圧ボルト体８によって押圧固定し、圧伸角管２１の蓋３の圧伸ボルト体４によって棒６１を圧伸させ、締付腕７との間の目標物ハを、締め付けることができる。
【産業上の利用可能性】
【００１６】
本発明の多機能伸縮棒補助装置に、製品の棒で作りつけるのもよいが、既存の寸法の材木や、その廃材となるものを利用するようにする事もでき、建築現場等で、特に利用上利点がある。製品コストの削減、市場への提供価格も抑えられ、且つ省エネルギーにも貢献できる。また棒の部分を、既存の材木で利用することによって、建築現場等の技術者によって、様々に工夫しやすく利用の可能性も多くなる。
【符号の説明】
【００１７】
１  本体
２１  圧伸角管
２２  スライド角管
３  蓋３
４  圧伸ボルト体
５１  圧伸角管側押圧ボルト体
５２  スライド角管側押圧ボルト体
５３  スライド角管側押圧ボルト体
６１  棒
６２  棒
７  締付腕
８  締付腕側押圧ボルト
イ  目標地点
ロ  目標地点
ハ  目標物
Ａ  矢視
Ｂ  矢視
【図１】
2012144883.tif 000003
【図２】
2012144883.tif 000004